(57)【要約】安全注射針（１０）は針基（３０）と針管（４０）と安全キャップ（５０）を備える。針管（４０）は針基（３０）の針管接続部（３１）の前端部に挿入され、安全キャップ（５０）は針基（３０）の前端部に組み付けられる。安全キャップ（５０）の針キャップ（５１）が針基（３０）内に設けた弾性体（５２）に接続され、針キャップ（５１）が針管（４０）の外側を覆う。針キャップ（５１）の後端部の案内突起（５１２）が針基（３０）の外殻部（３３）の位置決め溝（３３３）に係合する。使用時、安全注射針（１０）は注射器（２０）の前端部に連結され、安全キャップ（５０）の針キャップ（５１）と外キャップ（５３）が重なって針管（４０）の外側を覆う。外キャップ（５３）の後端部が針基（３０）の外殻部（３３）の前端部に当接して位置決めされ、針管（４０）は露出する可能性はない。外キャップ（５３）を破断して外し、針キャップ（５１）を針基（３０）内へ退縮させると注射が可能となる。注射後、針キャップ（５１）が飛び出して針管（４０）の外側を覆い、針キャップ（５１）の案内突起（５１２）が位置決め溝（３３３）に沿って係止凹部（３３７）に移動して係止される。再使用不可能となり、安全注射針（１０）が使用済みであると判別できる。【選択図】図２
2019506968.tif 000002
【特許請求の範囲】
【請求項１】
安全注射針であって、該安全注射針は針基、針管および安全キャップを含み、
前記針基は針管接続部、外筒接続部および外殻部を含み、
前記針管接続部は内部に針管挿入孔を有し、
前記外筒接続部は前記針管接続部の後端部に形成され、
前記外筒接続部は内部に、前記針管挿入孔と連通する外筒接続孔が形成され、
前記外殻部は前記針管接続部の外側に形成され、
前記外殻部と前記針管接続部との間には作動空間が画定され、
前記外殻部の前端部には開口が形成され、
前記外殻部の後端部には当接部が形成されて前記針管接続部に接続され、
前記外殻部の周壁には少なくとも１つの位置決め溝が形成され、
前記位置決め溝は直線部と案内部と係止部とを含み、
前記直線部は前記外殻部の軸方向に沿って延び、
前記係止部と前記案内部は前記外殻部の前端部において両側に分かれて設けられ、
前記係止部の後端部と前記案内部の後端部は前者が前側位置、後者が後側位置において個別に前記直線部の前端部に接続され、
前記係止部の、前記直線部から遠い側の一端には係止凹部が形成され、
前記係止部の前端部の溝壁は前記直線部から前記係止凹部へ向かう方向に傾斜した傾斜溝壁を成し、
前記案内部と前記係止部の前記傾斜溝壁とは互いに反対方向に傾斜するように形成され、
前記針管は前記針管接続部の前記針管挿入孔中に挿入され、かつ前記針管は前記針基の前記外殻部の前端部から外側へ延び出し、また前記針管は内部に針孔を有し、前記外筒接続部の前記外筒接続孔と連通し、
前記安全キャップは前記針基の前端部に組み付けられ、また前記安全キャップは針キャップ、弾性体および外キャップを含み、
前記針キャップは内部に軸方向に貫通する貫通孔が形成され、
前記針キャップの後端部の外周面には少なくとも１つの案内突起が形成され、
前記弾性体の前端部は前記針キャップの後端部に接続され、
前記外キャップは前記針キャップの外側と一体に成形され、
前記外キャップは前記針キャップから破断分離可能であり、
前記針キャップの前端部は前記外キャップ内に位置し、
前記針キャップが具える前記案内突起の後端部は前記外キャップの後端部から外側へ延び出し、
前記外キャップの後端部と前記針キャップの前記案内突起との間には所定の距離が確保され、
前記安全キャップの前記弾性体は前記針基の前記作動空間内に延び入って前記針管接続部の外側に被さり、
前記弾性体の後端部は前記外殻部の前記当接部に当接し、
前記針キャップの後端部は前記針管接続部の外側に被さり、
前記針キャップの前記案内突起の後端部は前記外殻部内に位置し、
前記案内突起は前記位置決め溝内に位置し、
前記外キャップの後端部が前記針基の前記外殻部の前端部に当接することにより、前記針基の前端部に設けられた前記針管が前記外キャップおよび前記針キャップの内部に覆い隠される
ことを特徴とする安全注射針。
【請求項２】
請求項１に記載の安全注射針において、
前記外殻部の周壁には２つの前記位置決め溝が直径方向の対向位置に設けられ、
前記針キャップの後端部の外周面には２つの前記案内突起が直径方向の対向位置に設けられ、
前記２つの案内突起はそれぞれ前記２つの位置決め溝のそれぞれに係合する
ことを特徴とする安全注射針。
【請求項３】
請求項１に記載の安全注射針において、
前記針基の前記外筒接続部はスリーブを有し、該スリーブの後端部の直径方向の対向位置に２つの螺合凸部が形成される
ことを特徴とする安全注射針。
【請求項４】
請求項２に記載の安全注射針において、
前記針基の前記外筒接続部はスリーブを有し、該スリーブの後端部の直径方向の対向位置に２つの螺合凸部が形成される
ことを特徴とする安全注射針。
【請求項５】
請求項１から請求項４のいずれかに記載の安全注射針において、
前記外キャップの後端部に複数の接続部が形成され、該複数の接続部は前記針キャップの外周面と一体に成形され、かつ該接続部の厚さは前記針キャップに向かって次第に小さくなる
ことを特徴とする安全注射針。
【請求項６】
請求項１から請求項４のいずれかに記載の安全注射針において、
前記弾性体は前記針キャップの後端部と一体に成形され、
前記弾性体は一条の螺旋状弾性線材を含む
ことを特徴とする安全注射針。
【請求項７】
請求項１から請求項４のいずれかに記載の安全注射針において、
前記弾性体は前記針キャップの後端部と一体に成形され、
前記弾性体は多条の螺旋状弾性線材を含む
ことを特徴とする安全注射針。
【請求項８】
請求項５に記載の安全注射針において、
前記弾性体は前記針キャップの後端部と一体に成形され、
前記弾性体は多条の螺旋状弾性線材を含む
ことを特徴とする安全注射針。
【発明の詳細な説明】
【技術分野】
【０００１】
本発明は安全注射針に関わる。より具体的には、本発明は注射器の外筒に連結して注射に用いる安全注射針に関わる。
【背景技術】
【０００２】
医療や看護に従事する人々の刺傷や感染の危険性を低減するために、安全注射針が用いられる。従来の安全注射針は主な構成要素として針管および針キャップ（プロテクター）を含み、針キャップは針管の外側に、これを覆い隠すように設けられる。安全注射針の使用時には、針管の一端に形成された接続部が注射器の外筒の前端部に連結される。注射前には、針キャップが針管を覆い隠していて、針管の露出を防いでいる。
【０００３】
ここで針管はその外側に設けられた針キャップに覆い隠されることにより安全・保護が図られているとはいえ、このような針キャップで、安全注射針の搬送・使用中の針管の露出を完全に防げるわけではない。その上、安全注射針の使用前後において、外見から使用済みかどうかが判別しにくいため、医療・看護従事者が使用済みの安全注射針が誤って再使用するおそれがある。
【発明の概要】
【発明が解決しようとする課題】
【０００４】
従来の安全注射針において搬送時や操作時に針管が露出することを完全に防止することが難しく、安全注射針が使用済みかどうかの判別が難しいという問題を解決する安全注射針を提供することである。
【課題を解決するための手段】
【０００５】
安全注射針は針基、針管および安全キャップを含み、
前記針基は針管接続部、外筒接続部および外殻部を含み、
前記針管接続部は内部に針管挿入孔を有し、
前記外筒接続部は前記針管接続部の後端部に形成され、
前記外筒接続部は内部に、前記針管挿入孔と連通する外筒接続孔が形成され、
前記外殻部は前記針管接続部の外側に形成され、
前記外殻部と前記針管接続部との間には作動空間が画定され、
前記外殻部の前端部には開口が形成され、
前記外殻部の後端部には当接部が形成されて前記針管接続部に接続され、
前記外殻部の周壁には少なくとも１つの位置決め溝が形成され、
前記位置決め溝は直線部と案内部と係止部とを含み、
前記直線部は前記外殻部の軸方向に沿って延び、
前記係止部と前記案内部は前記外殻部の前端部において両側に分かれて設けられ、
前記係止部の後端部と前記案内部の後端部は前者が前側位置、後者が後側位置において個別に前記直線部の前端部に接続され、
前記係止部の、前記直線部から遠い側の一端には係止凹部が形成され、
前記係止部の前端部の溝壁は前記直線部から前記係止凹部へ向かう方向に傾斜した傾斜溝壁を成し、
前記案内部と前記係止部の前記傾斜溝壁とは互いに反対方向に傾斜するように形成され、
前記針管は前記針管接続部の前記針管挿入孔中に挿入され、かつ前記針管は前記針基の前記外殻部の前端部から外側へ延び出し、また前記針管は内部に針孔を有し、前記外筒接続部の前記外筒接続孔と連通し、
前記安全キャップは前記針基の前端部に組み付けられ、また前記安全キャップは針キャップ、弾性体および外キャップを含み、
前記針キャップは内部に軸方向に貫通する貫通孔が形成され、
前記針キャップの後端部の外周面には少なくとも１つの案内突起が形成され、
前記弾性体の前端部は前記針キャップの後端部に接続され、
前記外キャップは前記針キャップの外側と一体に成形され、
前記外キャップは前記針キャップから破断分離可能であり、
前記針キャップの前端部は前記外キャップ内に位置し、
前記針キャップが具える前記案内突起の後端部は前記外キャップの後端部から外側へ延び出し、
前記外キャップの後端部と前記針キャップの前記案内突起との間には所定の距離が確保され、
前記安全キャップの前記弾性体は前記針基の前記作動空間内に延び入って前記針管接続部の外側に被さり、
前記弾性体の後端部は前記外殻部の前記当接部に当接し、
前記針キャップの後端部は前記針管接続部の外側に被さり、
前記針キャップの前記案内突起の後端部は前記外殻部内に位置し、
前記案内突起は前記位置決め溝内に位置し、
前記外キャップの後端部が前記針基の前記外殻部の前端部に当接することにより、前記針基の前端部に設けられた前記針管が前記外キャップおよび前記針キャップの内部に覆い隠される。
【０００６】
前記安全注射針において、
前記外殻部の周壁には２つの前記位置決め溝が直径方向の対向位置に設けられ、
前記針キャップの後端部の外周面には２つの前記案内突起が直径方向の対向位置に設けられ、
前記２つの案内突起はそれぞれ前記２つの位置決め溝のそれぞれに係合する。
【０００７】
前記安全注射針において、
前記針基の前記外筒接続部はスリーブを有し、該スリーブの後端部の直径方向の対向位置に２つの螺合凸部が形成される。
【０００８】
前記安全注射針において、
前記外キャップの後端部に複数の接続部が形成され、該複数の接続部は前記針キャップの外周面と一体に成形され、かつ該接続部の厚さは前記針キャップに向かって次第に小さくなる。
【０００９】
前記安全注射針において、
前記弾性体は前記針キャップの後端部と一体に成形され、
前記弾性体は一条または多条の螺旋状弾性線材を含む。
【発明の効果】
【００１０】
本発明は以下の効果をもたらす。
【００１１】
１．始め、安全注射針の針キャップの後端部の案内突起は外殻部の位置決め溝の案内部の前端部にある起点に位置しており、外キャップの後端部が針基の外殻部の前端部に当接して位置決めされている。したがって、針キャップは外キャップの内側に位置し、針管は針キャップに覆い隠されている。このため、搬送時や注射前の取扱時に針管の露出が防止され、また、安全注射針が未使用であることが容易に判別できる。
【００１２】
２．注射前に、使用者はまず針キャップの外側の外キャップを破断して分離する。次に、使用者は注射器に連結された安全注射針の針キャップの前端を被注射者の注射予定部位に近づけてゆく。この間針管は針キャップに覆い隠されたままなので、安全性に優れた保護メカニズムが提供される。
【００１３】
３．注射器内の注射薬剤を被注射者の体内に注入したあと、注射器を後方に引いて針管を被注射者の身体から引き抜く。このとき針キャップが弾性体の弾性力により外殻部の前端部から飛び出し、針管が針キャップの内部に覆い隠される。その間、針キャップが弾性体の弾性力を受けて前進するので、針キャップの後端部の案内突起が外殻部の位置決め溝に沿って直線部から前進し、さらには係止部の前端部の傾斜溝壁に案内されて係止凹部に入り、そこで係止される。係止された針キャップが再び針基の外殻部内に退縮することはなく、針管は確実に針キャップ内に覆い隠されたままとなる。安全注射針は再使用が不可能であり、かつ使用済みのものであることが容易に判別できる。
【００１４】
本発明に係る安全注射針においてはさらに、前記外キャップの後端部に複数の接続部を形成し、該複数の接続部を前記針キャップの外周面と一体に成形し、かつ該接続部の厚さを前記針キャップに向かって次第に小さくしてもよい。これにより外キャップを捻じって破断する方法で針キャップから分離することができる。
【００１５】
本発明に係る安全注射針においてはさらに、前記針基の前記外筒接続部にスリーブを設け、該スリーブの後端部の直径方向の対向位置に２つの螺合凸部を形成してもよい。これにより注射器への固定を螺合カラーへの接続によって行うことができる。
【００１６】
本発明に係る安全注射針においてはさらに、前記安全キャップの前記弾性体を前記針キャップの後端部と一体に成形し、前記弾性体を一条または多条の螺旋状弾性線で構成してもよい。これにより前記安全キャップに高薬剤耐性、高生体適合性、高剛性、高弾性の素材が応用でき、また安全注射針の組み立てや取り付けが容易になる。
【００１７】
本発明に係る安全注射針においてはさらに、前記外殻部の周壁に２つの前記位置決め溝を直径方向の対向位置に設け、前記針キャップの後端部の外周面に２つの前記案内突起を直径方向の対向位置に設け、前記２つの案内突起をそれぞれ前記２つの位置決め溝のそれぞれに係合させてもよい。これにより針基内の針キャップの動きを滑らかにすることができる。
【図面の簡単な説明】
【００１８】
【図１】本発明の一実施形態に係る安全注射針の外観斜視図である。
【図２】図１に示す実施形態の安全注射針の断面図である。
【図３】図１に示す実施形態の安全注射針の分解斜視図である。
【図４】図１に示す実施形態の安全注射針の別の角度から見た分解斜視図である。
【図５】図１に示す実施形態の安全注射針を、螺合カラーに接続して注射器に固定した状態において示す斜視図である。
【図６】図１に示す実施形態の安全注射針を、螺合カラーに接続して注射器に固定した状態において示す側面断面図である。
【図７】図６に示す注射器に連結された安全注射針の外キャップを捻じって破断し、針キャップから分離した状態を示す断面図である。
【図８】図７に示す注射器に連結された安全注射針の外キャップを外した状態を示す斜視図である。
【図９】図８に示す安全注射針の針管が被注射者の体内に刺し込まれ、注射器の押子が押されて注射が行われる様子を示す断面図である。
【図１０】図８に示す安全注射針の針管が被注射者の体内に刺し込まれ、注射器の押子が押されて注射が行われる様子を示す側面図である。
【図１１】図９および図１０に示す安全注射針の針管が被注射者の体内から引き抜かれ、針カバーが弾性体によって外殻部の前端から飛び出る様子を示す側面図である。
【図１２】図１１の正面図である。
【図１３】図１２の線Ａ−Ａに沿った断面図である。
【符号の説明】
【００１９】
１０ 安全注射針
２０ 注射器
２１ 外筒
２２ 押子
２３ 螺合カラー
３０ 針基
３００      作動空間
３１ 針管接続部
３１１      針管挿入孔
３２ 外筒接続部
３２１      外筒接続孔
３２２      スリーブ
３２３      螺合凸部
３３ 外殻部
３３１      開口
３３２      当接部
３３３      位置決め溝
３３４      直線部
３３５      案内部
３３６      係止部
３３７      係止凹部
３３８      傾斜溝壁
４０ 針管
５０ 安全キャップ
５１ 針キャップ
５１１      貫通孔
５１２      案内突起
５２ 弾性体
５２１      螺旋状弾性線材
５３ 外キャップ
５３１      接続部
Ｄ   距離
【発明を実施するための形態】
【００２０】
以下、添付の図面と本発明の好ましい実施形態に基づき、本発明がその目的を達成するために採用する技術手段を順を追って詳細に説明する。
【００２１】
図１および図２に示すように、本発明に係る安全注射針１０の一実施形態によれば、安全注射針１０は注射器（シリンジ）の外筒（シリンダー）の前端部に連結して用いるものである。安全注射針１０は針基（はりもと）３０、針管（刺針）４０および安全キャップ５０を含む。
【００２２】
図１から図４に示すように、針基３０は針管接続部３１、外筒接続部３２および外殻部３３を含む。針管接続部３１は内部に針管挿入孔３１１が形成され、外筒接続部３２は針管接続部３１の後端部に形成される。外筒接続部３２は内部に外筒接続孔３２１が形成され、外筒接続孔３２１は針管接続部３１の針管挿入孔３１１の後端部と連通する。外筒接続孔３２１の直径は針管挿入孔３１１の直径より大きい。外殻部３３は針管接続部３１の外壁を形成し、外殻部３３と針管接続部３１との間に作動空間３００が画定される。外殻部３３の前端部には開口３３１が形成される。外殻部３３の後端部には当接部３３２が形成され、当接部３３２は針管接続部３１の後端部に接続される。
【００２３】
図１から図４に示すように、外殻部３３の周壁には１つまたは複数の位置決め溝３３３が形成される。本実施形態において、外殻部３３は２つの位置決め溝３３３を具え、これら２つの位置決め溝３３３は外殻部３３の周壁における径方向の対向位置に形成される。各位置決め溝３３３は直線部３３４、案内部３３５および係止部３３６を含む。このうち直線部３３４はおおむね外殻部３３の軸方向に沿って延び、係止部３３６と案内部３３５は外殻部３３の前端部において両側（二股）に分かれて設けられる。係止部３３６の後端部と案内部３３５の後端部は前者が前側位置、後者が後側位置において個別に直線部３３４の前端部に接続される。係止部３３６の、直線部３３４から遠い側の一端には係止凹部３３７が形成され、係止部３３６の前端部の溝壁は、直線部３３４から係止凹部３３７へ向かう方向に傾斜した傾斜溝壁３３８を成す。案内部３３５は、係止部３３６の傾斜溝壁３３８とは反対の方向に傾斜する。
【００２４】
図１から図４に示すように、本実施形態において、針管接続部３１の後端部に接続される外筒接続部３２は、外殻部３３の当接部３３２の後端部の外側に位置する。外筒接続部３２はスリーブ３２２およびスリーブ３２２の後端部に設けられた１つまたは複数の螺合凸部３２３を具え、これにより螺合カラーと接続されて注射器の前端部に固定される。螺合凸部３２３の数は、螺合カラー内に設けられるねじ穴のねじ溝が１つか複数かに基づいて決定することができる。本実施形態において、外筒接続部３２は径方向の対向位置に２つの螺合凸部３２３を具え、ねじ溝を２つ有する螺合カラー２３と螺合される。
【００２５】
図２から図４に示すように、針管４０はその内部を貫通する針孔を具え、針管４０の後端部は針管接続部３１の針管挿入孔３１１内に挿入されて固定される。針管４０の前部は針基３０の外殻部３３の前端部から外へ延び出し、針管４０内の針孔は針管挿入孔３１１を介して外筒接続部３２の外筒接続孔３２１と連通する。
【００２６】
図１から図４に示すように、安全キャップ５０は針キャップ５１、弾性体５２および外キャップ５３を含む。針キャップ５１にはその内部を軸方向に貫通する貫通孔が形成され、針キャップ５１の後端部の外周面には１つまたは複数の案内突起５１２が形成される。本実施形態において、針キャップ５１の後端部の外周面には径方向の対向位置に２つの案内突起５１２が形成され、弾性体５２の前端部は針キャップ５１の後端部に接続されている。外キャップ５３は針キャップ５１の外側に設けられ、外キャップ５３は針キャップ５１と一体に成形される。針キャップ５１の前端部は外キャップ５３内に位置し、針キャップ５１が具える案内突起５１２の後端部は外キャップ５３の後端部から外へ延び出る。外キャップ５３の後端部と針キャップ５１の案内突起５１２との間には一定の距離Ｄが確保される。
【００２７】
図１から図４に示すように、安全キャップ５０は針基３０の前端部に組み付けられる。安全キャップ５０の弾性体５２は針基３０の作動空間３００内に延び入る。弾性体５２は針管接続部３１の外側に被さり、弾性体５２の後端部は当接部３３２に当接する。安全キャップ５０の針キャップ５１の後端部も針管接続部３１の外側に被さる。針キャップ５１が具える案内突起５１２の後端部は外殻部３３内に位置し、案内突起５１２は位置決め溝３３３内に位置する。外キャップ５３の後端部は針基３０の外殻部３３の前端部に接近または接触し、針基３０の前端部に設けられた針管４０は外キャップ５３と針キャップ５１の内側に覆い隠される。ここで、外キャップ５３はこれを針キャップ５１上で捻じって破断し、針キャップ５１から分離することができる。そして針キャップ５１は一回だけ針基３０の外殻部３３内に退縮させることができ、そのとき弾性体５２が圧縮されて針管４０が露出する。針キャップ５１は弾性体５２の働きにより外殻部３３内から飛び出そうとするが、外殻部３３の位置決め溝３３３の片側の係止凹部３３７に係止されるので、針管４０は針キャップ５１内に覆い隠された状態に留まり、係止された針キャップ５１が針基３０の外殻部３３内へ戻ることはない。
【００２８】
図１から図４に示すように、弾性体５２と針キャップ５１は一体に成型してもよく、それぞれ独立した部材としてもよい。本実施形態において、弾性体５２は針キャップ５１の後端部と一体に成型される。弾性体５２は一条または多条の螺旋状弾性線材５２１を含む。本実施形態において、弾性体５２は多条の螺旋状弾性線材５２１を含み、螺旋状弾性線材５２１は針キャップ５１の後端部に接続されるとともに、圧縮されても回復する弾性を有する。
【００２９】
図１から図４に示すように、本実施形態において、外キャップ５３の後端部には複数の接続部５３１が形成され、接続部５３１は針キャップ５１の外周面と一体に成形される。また、接続部５３１の厚さは針キャップ５１に向かって次第に小さくなる。図２および図７に示すように、外キャップ５３はこれを針キャップ５１上で捻じって、針キャップ５１に接続されている接続部５３１の、厚さが比較的小さい箇所において破断することができる。このようにして外キャップ５３は針キャップ５１から分離することができる。
【００３０】
本発明に係る安全注射針１０の使用法を、さらに図５および図６を参照しながら説明する。安全注射針１０は、針基３０の後端部の外筒接続部３２を螺合カラー２３に接続することにより、薬剤を充填した注射器２０の外筒２１の前端部に固定される。このとき、安全注射針１０の針キャップ５１の後端部の案内突起５１２は外殻部３３の位置決め溝３３３の案内部３３５の前端部にある起点に位置している。外キャップ５３の後端部は針基３０の外殻部３３の前端部に当接して位置決めされ、これにより針キャップ５１は外キャップ５３内に位置し、針管４０は針キャップ５１内に覆い隠される。このようにして、搬送時や注射前の取り扱いの際に、安全注射針１０の針管４０が露出することを防止でき、また安全注射針１０が未使用であることを判別できる。
【００３１】
図７および図８に示すように、注射前に、使用者はまず針キャップ５１の外側の外キャップ５３を捻じって破断し、外キャップ５３を針キャップ５１から分離する。使用者は次に、注射器２０に連結した安全注射針１０の針キャップ５１の前端部を、被注射者の注射予定部位に近づけてゆく。その間、依然として針キャップ５１がその内部に針管４０を覆い隠しているので、安全が確保される。
【００３２】
図９および図１０に示すように、針キャップ５１の前端部を被注射者の皮膚に接触させたあと、注射器２０を押し進めると、押す力を受けた針キャップ５１が針基３０の外殻部３３内に退縮しつつ、弾性体５２を圧縮する。その結果、針管４０が針キャップ５１の外へ出て、被注射者の体内に刺し込まれる。その間、針キャップ５１の後端部の案内突起５１２が外殻部３３の位置決め溝３３３に沿って案内部３３５から直線部３３４へ移動し、それにつれて針キャップ５１が弾性体５２を圧縮する。次に注射器２０の押子（押し子、ピストン、プランジャー）２２を押して、注射器２０内の注射薬剤を針基３０の針管接続部３１さらには針管４０を通して被注射者の体内に注入する。
【００３３】
図１１から図１３に示すように、注射薬剤を被注射者の体内に注入したあとは、注射器２０を後方に引き、針管４０を注射者の身体から引き抜く。このとき、針キャップ５１が弾性体５２の働きにより外殻部３３の前端部から飛び出し、針管４０が針キャップ５１の内部に覆い隠される。その間、針キャップ５１が弾性体５２の弾性力を受けて前進するので、針キャップ５１の後端部の案内突起５１２が外殻部３３の位置決め溝３３３に沿って直線部３３４から前進し、さらには係止部３３６の前端部の傾斜溝壁３３８に案内されて係止凹部３３７に入り、そこで係止される。係止された針キャップ５１が再び針基３０の外殻部３３内に退縮することはなく、針管４０は確実に針キャップ５１内に覆い隠されたままとなる。安全注射針１０は再使用が不可能であり、かつ安全注射針が使用済みのものであることが容易に判別できる。
【００３４】
以上述べたのは本発明の一実施形態に過ぎず、本発明に構成上のいかなる制限を課すものではない。本発明の一実施形態を既に上に述べたが、それを以て何ら本発明の限定を意図するものではない。いかなる者であれ当業者が本発明の技術方案の範囲を逸脱せずに上述の技術内容を利用して若干の変形あるいは修飾を施して得た等価な変形実施形態、またおよそ本発明の技術方案を逸脱することなく本発明の技術の本質に基づいて上述の実施例にいかなるものであれ簡単な改変を施して得た等価な変形あるいは修飾、これらはすべて本発明の技術方案の範囲内に属するものである。
【図１】
2019506968.tif 000003
【図２】
2019506968.tif 000004
【図３】
2019506968.tif 000005
【図４】
2019506968.tif 000006
【図５】
2019506968.tif 000007
【図６】
2019506968.tif 000008
【図７】
2019506968.tif 000009
【図８】
2019506968.tif 000010
【図９】
2019506968.tif 000011
【図１０】
2019506968.tif 000012
【図１１】
2019506968.tif 000013
【図１２】
2019506968.tif 000014
【図１３】
2019506968.tif 000015
【国際調査報告】
2019506968.tif 000016
2019506968.tif 000017
2019506968.tif 000018
2019506968.tif 000019